(57)【要約】【課題】表示装置を壁面に複数設置する場合に、安価で、且つ据付性やメンテナンス性を向上させることができる表示装置の壁掛け構造を提供する。【解決手段】壁面に２つの表示装置を横に並べて設置する際の表示装置の壁掛け構造であって、壁面に所定の間隔を明けて床面に対し平行に取り付けた２つのレールと、前記２つの表示装置を取り付ける２つの矩形形状の金属プレートから成り、互いに接する内側部は回転可能な連結手段で連結され、且つそれぞれのプレートの外側部の背面に前記２つのレールに嵌入され、２つのレール内で左右方向に移動可能な移動手段をそれぞれ上下に備えた背面金具とで構成され、背面金具の連結手段による連結部を手前に引き出すことで、背面金具が連結手段の軸を中心として折り畳まれながら、移動手段がそれぞれ中央に向って移動することにより、背面金具と壁面との間に所定の空間が生まれる。【選択図】  図１
2004279646.tif 000002
【特許請求の範囲】
【請求項１】
壁面に２つの表示装置を横に並べて設置する際の表示装置の壁掛け構造であって、
壁面に所定の間隔を明けて床面に対し平行に取り付けた２つのレールと、前記２つの表示装置を取り付ける２つの矩形形状の金属プレートから成り、互いに接する内側部は回転可能な連結手段で連結され、且つそれぞれのプレートの外側部の背面に前記２つのレールに嵌入され、２つのレール内で左右方向に移動可能な移動手段をそれぞれ上下に備えた背面金具とで構成され、背面金具の連結手段による連結部を手前に引き出すことで、背面金具が連結手段の軸を中心として折り畳まれながら、移動手段がそれぞれ中央に向って移動することにより、背面金具と壁面との間に所定の空間が生まれることを特徴とする表示装置の壁掛け構造。
【発明の詳細な説明】
【０００１】
【発明の属する技術分野】
本発明は、例えばＰＤＰ（Ｐｌａｓｍａ  Ｄｉｓｐｌａｙ  Ｐａｎｅｌ）や液晶表示装置等の、薄型軽量なフラット型の表示装置を壁面等垂直面に複数台設置する際の据付性やメンテナンス性を向上させるための表示装置の壁掛け構造に関するものである。
【０００２】
【従来の技術】
ＰＤＰ等を利用したフラット型の表示装置は薄型で場所を取らず、かつ軽量である特徴を有するので様々な設置形態で利用可能である。特に、薄型の特徴を最大限に生かす壁面取り付け形態は、他の表示装置にない特徴であり、部屋等のスペース有効利用に役立つ。
【０００３】
そこで、表示装置を壁面に取り付ける際に、なるべく薄さを強調するため表示装置の背面と壁面との隙間を極力抑える必要があるが、一方表示装置の据付け時や保守・点検等のメンテナンス時には、表示装置の背面と壁面との間でケーブルの配線処理やコネクタの接続処理等の作業を行う必要があり、その場合、表示装置の背面に十分な作業スペースを確保する必要がある。
【０００４】
ここで、図３、図４に於いて、従来の表示装置の壁掛け構造について説明する。
【０００５】
図３は従来の表示装置の壁掛け構造を示す図であり、（ａ）図のように壁面に固定された状態では、表示装置１１の背面と壁面５１との間の隙間が背面金具１２と壁面取付金具１３の厚み分となっているが、（ｂ）図のように、表示装置１１の下部を前方に引き出すことによって、表示装置１１の下部が上方向に持ち上がり表示装置１１の背面下側にスペースが生まれることから、このスペースを利用してメンテナンス作業等を行うことができる。
【０００６】
また、図４においては、（ａ）図のように壁面に固定された状態では、表示装置１１の背面と壁面５１との間の隙間が背面金具１２と壁面取付金具１３の厚み分となっているが、（ｂ）図のように、表示装置１１全体を前方に引き出すことにより、表示装置１１の背面全体にスペースが生まれることから、このスペースを利用してメンテナンス作業等を行うことができる。
【０００７】
また、表示装置の壁面取付け装置において、壁面に固定される固定枠に水平方向に伸縮するスライドレールを介して可動フレームを設け、該可動フレームに上下方向に昇降ビームを移動可能に設け、該昇降ビームを上下変位させる上下位置調整手段を前記可動フレームに設け、前記昇降ビームに表示装置を着脱可能とすることにより、表示装置の着脱時、保守時の作業性を向上しているものもある（例えば、特許文献１参照）。
【０００８】
【特許文献１】
特開２００２−２９００６２号公報（第１図）
【０００９】
【発明が解決しようとする課題】
現今では情報量が増大しており、情報を複数の画面により表示させるようにした更に大規模な表示装置が設置される場合がある。然しながら、上記した表示装置の壁掛け構造は以下のような問題を具備している。
【００１０】
上記した従来の表示装置の壁掛け構造においては、壁面設置金具及び壁面取付け装置にリンク機構やスライド構造を採用し、且つ構造が複雑であることから、部品コストが高く、且つ奥行きが厚くなるという問題があった。
また、それに伴い重量も嵩むことから作業時間が多く掛かり、据付け時やメンテナンス時の作業性、作業効率が悪いという問題があった。
【００１１】
更に、表示装置１台の設置に対し壁面設置金具又は壁面取付け装置が１台必要になることから、据付け時やメンテナンス時の作業性が悪く、又時間を要する作業となっていた。
【００１２】
本発明は斯かる実情に鑑み、表示装置を壁面に複数設置する場合に、安価で、且つ据付性やメンテナンス性を向上させることができる表示装置の壁掛け構造を提供するすることを目的としている。
【００１３】
【課題を解決するための手段】
本発明は、壁面に２つの表示装置を横に並べて設置する際の表示装置の壁掛け構造であって、壁面に所定の間隔を明けて床面に対し平行に取り付けた２つのレールと、前記２つの表示装置を取り付ける２つの矩形形状の金属プレートから成り、互いに接する内側部は回転可能な連結手段で連結され、且つそれぞれのプレートの外側部の背面に前記２つのレールに嵌入され、２つのレール内で左右方向に移動可能な移動手段をそれぞれ上下に備えた背面金具とで構成され、背面金具の連結手段による連結部を手前に引き出すことで、背面金具が連結手段の軸を中心として折り畳まれながら、移動手段がそれぞれ中央に向って移動することにより、背面金具と壁面との間に所定の空間が生まれることを特徴とするものである。
【００１４】
この構成により、表示装置２台の設置に対し壁面取付金具が１台で済み、且つ壁面取付金具の構造も簡素化されるので、部品コストも安価となる。
また、連結された２台の表示装置の中央部を手前に引き出すことで、表示装置の背面に容易に作業スペースが確保できることから、据付性及びメンテナンス性を向上することができる。
【００１５】
【発明の実施の形態】
以下、図面を参照しつつ本発明の実施の形態を説明する。
【００１６】
図１は、本発明による表示装置の壁掛け構造の一実施例を示す構成図であり、図２は、図１のＡ部の詳細図である。
【００１７】
図１に於いて、６、７は壁面上に床面に対し平行に固定されるレールを示しており、該レール（ａ）６は壁面の上部に取り付けられ、該レール（ｂ）７はレール（ａ）６と所定の間隔を明けてレール（ａ）６の下部に取り付けられる。
【００１８】
２、３は２つの表示装置１を取り付ける矩形形状の背面金具を示しており、該背面金具（ａ）２には壁面に向って左側の表示装置１が取り付けられ、該背面金具（ｂ）３には壁面に向って右側の表示装置１が取り付けられる。
【００１９】
また、背面金具（ａ）２と背面金具（ｂ）３の互いに接する内側部はチョウバン４によって連結されており、チョウバン４の軸を中心に背面側に折り畳めるようになっている。
【００２０】
更に、背面金具（ａ）２と背面金具（ｂ）３の外側部の背面には前記レール（ａ）６とレール（ｂ）７の鉛直方向の間隔に合わせてローラ５が上下に備えられており、背面金具（ａ）２と背面金具（ｂ）３の上側２つのローラ５はレール（ａ）６に嵌入され、背面金具（ａ）２と背面金具（ｂ）３の下側２つのローラ５はレール（ｂ）７に嵌入され、２つのレール内を回動しながら左右方向に移動することが可能となっている。
【００２１】
図２に於いて、８は表示装置１を壁面に固定するためのストッパを示しており、表示装置１を壁面に設置した後、先端の爪部をレール（ｂ）７の端部に引っ掛けて固定するようになっている。
【００２２】
以上の構成において、表示装置１を壁面に据付ける際の手順について図１及び図２を参照して説明する。まず、レール（ａ）６とレール（ｂ）７を背面金具（ａ）２と背面金具（ｂ）３の背面に備えたローラ５の上下の間隔に合わせて床面と平行になるよう壁面に固定する。次に、チョウバン４で連結された背面金具（ａ）２と背面金具（ｂ）３をローラ５を介してレール（ａ）６とレール（ｂ）７に取り付ける。次に、背面金具（ａ）２と背面金具（ｂ）３のそれぞれに表示装置１を取り付ける。最後に、背面金具（ａ）２と背面金具（ｂ）３のチョウバン４で連結された箇所を壁面に向って押し付けることにより、背面金具に取り付けられたストッパ８の先端が上方に上がり、バネ９の作用でストッパ８の先端の爪がレール（ｂ）７の端部に引っ掛かることで、レール（ａ）６及びレール（ｂ）７に固定される。
【００２３】
次に、表示装置の保守作業時の手順について図１及び図２を参照して説明する。まず、図２のように、表示装置１とレール（ｂ）７の隙間に金属片１０等を差し込み、ストッパ８の先端を押し上げて爪の引っ掛かりを解除した後、チョウバン４で連結された箇所を手前に引き出すことで、チョウバン４の軸を中心に背面金具（ａ）２と背面金具（ｂ）３が壁面側に折り畳まれながら、背面金具（ａ）２と背面金具（ｂ）３のローラ５がレール（ａ）６とレール（ｂ）７に沿って内側方向に移動し、２台の表示装置１の背面と壁面との間にスペースができることから、このスペースを利用してケーブルの配線処理やコネクタの接続処理等のメンテナンス作業が可能となる。
また、保守作業終了後には、チョウバン４で連結された箇所を手前から壁面側に向って押し付けることにより、背面金具に取り付けられたストッパ８の先端の爪がレール（ｂ）７の端部に引っ掛かり固定される。
【００２４】
尚、上記実施の形態で、前記レール（ａ）６とレール（ｂ）７を別々に設けたが、２つの垂直フレームを前記レール（ａ）６とレール（ｂ）７に連結することにより矩形枠形状の一体構造としても良い。
【００２５】
また、前記レール（ａ）６とレール（ｂ）７の長さを長くすることにより、表示装置を横２画面の倍数で設置するような場合にも簡単に対応できることから、経済性にも優れている。
【００２６】
尚、本表示装置の壁掛け構造においては、表示装置の装置面積の範囲内で背面にスペースを作り出せるため、表示装置を上下に並べて複数設置する場合であっても、また、表示装置の左右方向に障害物があるような場合であっても、容易に背面にスペースを確保することができるので、表示装置を複数並べて設置する場合に省スペース化が図れる。
【００２７】
【発明の効果】
以上説明したように、本発明によれば、壁面に２つの表示装置を横に並べて設置する際の表示装置の壁掛け構造であって、壁面に所定の間隔を明けて床面に対し平行に取り付けた２つのレールと、前記２つの表示装置を取り付ける２つの矩形形状の金属プレートから成り、互いに接する内側部は回転可能な連結手段で連結され、且つそれぞれのプレートの外側部の背面に前記２つのレールに嵌入され、２つのレール内で左右方向に移動可能な移動手段をそれぞれ上下に備えた背面金具とで構成され、背面金具の連結手段による連結部を手前に引き出すことで、背面金具が連結手段の軸を中心として折り畳まれながら、移動手段がそれぞれ中央に向って移動することにより、背面金具と壁面との間に所定の空間が生まれるようにしたので、安価で、且つ据付性やメンテナンス性を向上させる表示装置の壁掛け構造を提供することができる。
【図面の簡単な説明】
【図１】本発明による表示装置の壁掛け構造の一実施例を示す構成図である。
【図２】図１のＡ部の詳細図である。
【図３】従来の表示装置の壁掛け構造を示す図で、（ａ）は表示装置が壁面に固定された状態の側面図、（ｂ）はメンテナンス作業時に表示装置背面にスペースを確保すべく装置の移動状態を示す側面図である。
【図４】従来の表示装置の壁掛け構造を示す図で、（ａ）は表示装置が壁面に固定された状態の側面図、（ｂ）はメンテナンス作業時に表示装置背面にスペースを確保すべく装置の移動状態を示す側面図である。
【符号の説明】
１  表示装置
２  背面金具（ａ）
３  背面金具（ｂ）
４  チョウバン
５  ローラ
６  レール（ａ）
７  レール（ｂ）
８  ストッパ
９  バネ
１０  金属片
１１  表示装置
１２  背面金具
１３  壁面取付金具
５１  壁面
【図１】
2004279646.tif 000003
【図２】
2004279646.tif 000004
【図３】
2004279646.tif 000005
【図４】
2004279646.tif 000006